(57)【要約】【課題】バックライト装置による消費電力を省減しつつ，映像表示領域の縁部の中央部付近と縁部との間の明度ムラや色ムラを防止すること。【解決手段】入力された映像信号に基づいて映像を表示する液晶表示パネルにおいて前記映像が表示される映像表示領域や映像が表示されない非映像表示領域を検出し（Ｓ２），前記液晶表示パネルを背後から照明する複数の蛍光管のうち前記映像表示領域に対応する位置に配置された蛍光管及び該蛍光管の外側に隣接する蛍光管を発光させ，該蛍光管を除く前記蛍光管を消灯させる（Ｓ４）。【選択図】図４
2007334176.tif 000002
【特許請求の範囲】
【請求項１】
入力された映像信号に基づいて映像を表示する映像表示手段と，
前記映像表示手段を背後から照明する複数の発光手段を有するバックライト装置と，
前記映像表示手段において映像が表示される映像表示領域及び／又は映像が表示されない非映像表示領域を検出する表示領域検出手段と，
前記表示領域検出手段による検出結果に基づいて前記発光手段各々の発光の有無を制御する発光制御手段と，
を備えてなる映像表示装置であって，
前記発光制御手段が，複数の前記発光手段のうち前記映像表示領域に対応する位置に配置された発光手段及び該発光手段の外側に隣接する発光手段を発光させ，該発光手段を除く前記発光手段を消灯させてなることを特徴とする映像表示装置。
【請求項２】
前記発光手段が，蛍光管及び／又は発光ダイオードである請求項１に記載の映像表示装置。
【請求項３】
前記映像表示部に表示する映像のサイズ及び／又は位置を変更する映像変更手段を更に備えてなる請求項１又は２のいずれかに記載の映像表示装置。
【請求項４】
請求項１〜３のいずれかに記載の映像表示装置を備えてなるテレビジョン受像機。
【発明の詳細な説明】
【技術分野】
【０００１】
本発明は，入力された映像を表示パネルに表示する映像表示装置に関し，特に，前記表示パネルを背後から照明するバックライト装置の省電力化に関するものである。
【背景技術】
【０００２】
従来から，テレビジョン受像機などに設けられる映像表示装置は，入力された映像信号に基づいて映像を表示する表示パネルと，該表示パネルを背後から照明する複数の蛍光管などを有するバックライト装置とを備えている。
また，前記映像表示装置では，前記表示パネルに表示する映像のサイズや位置を変更することができる。このとき，前記映像のサイズや位置を変更することで，前記表示パネルには，映像が表示される領域（以下「映像表示領域」という）と，映像が表示されない領域（以下「非映像表示領域」という）とが形成されることがある。特許文献１では，前記非映像表示領域が生じている場合には，その非映像表示領域に対応する蛍光管を消灯することが示されている。
【特許文献１】特開２００４−１８４９７３号公報
【発明の開示】
【発明が解決しようとする課題】
【０００３】
しかしながら，前記特許文献１のように，前記非映像表示領域に対応する蛍光管が消灯されると，該蛍光管による前記映像表示領域の縁部への照明が行われなくなるため，前記映像表示領域の中央部付近と縁部との間でバックライト装置による照射光量が異なり，表示映像の中央部付近と縁部との間に明度ムラや色ムラが生じるという問題がある。
従って，本発明は前記事情に鑑みてなされたものであり，その目的とするところは，バックライト装置による消費電力を省減しつつ，映像表示領域の縁部の中央部付近と縁部との間の明度ムラや色ムラを防止することのできる表示装置及びこれを備えたテレビジョン受像機を提供することにある。
【課題を解決するための手段】
【０００４】
上記目的を達成するために本発明は，入力された映像信号に基づいて映像を表示する映像表示手段と，前記映像表示手段を背後から照明する複数の発光手段を有するバックライト装置とを備えてなり，前記映像表示手段において映像が表示される映像表示領域や映像が表示されない非映像表示領域を検出し，その検出結果に基づいて前記発光手段各々の発光の有無を制御する映像表示装置に適用されるものであって，複数の前記発光手段のうち前記映像表示領域に対応する位置に配置された発光手段及び該発光手段の外側に隣接する発光手段を発光させ，該発光手段を除く前記発光手段を消灯させてなることを特徴とする映像表示装置として構成される。ここに，前記発光手段は，例えば蛍光管や発光ダイオードである。
本発明によれば，前記映像表示領域の中央部付近と縁部との間における前記バックライト装置による照射光量の差を防止することにより，表示映像の中央部付近と縁部との間の明度ムラや色ムラを防止することができ，また，前記バックライト装置による消費電力の省減を図ることもできる。
また，本発明では，前記映像表示手段における映像の映像表示領域や非映像表示領域を検出し，その検出結果に基づいて複数の前記発光手段の発光の有無を制御するため，前記映像表示部に表示する映像のサイズや位置が変更可能な構成に適用することができる。このとき，前記映像のサイズや位置の変更態様は，予め設定されたものであってもよく，また，任意に変更可能なものであってもよい。
なお，本発明は，前記のように構成された映像表示装置を備えてなるテレビジョン受像機として捉えてもよい。
【発明の効果】
【０００５】
本発明によれば，前記映像表示領域の中央部付近と縁部との間における前記バックライト装置による照射光量の差を防止することにより，表示映像の中央部付近と縁部との間の明度ムラや色ムラを防止することができ，また，前記バックライト装置による消費電力の省減を図ることもできる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ｘの概略構成を示すブロック図，図２は本発明の実施の形態に係る液晶表示装置Ｙの概略構成を示すブロック図，図３は前記液晶表示装置Ｙを背後から見た要部模式図，図４は前記液晶表示装置Ｙにおいて実行されるバックライト制御処理の手順の一例を説明するためのフローチャート，図５は前記バックライト制御処理が実行されているときの前記液晶表示装置Ｙにおけるバックライト装置２６の発光状態の具体例を説明するための図である。
まず，図１に示すブロック図を用いて，本発明の実施形態に係るテレビジョン受像機Ｘの構成について説明する。
図１に示すように，テレビジョン受像機Ｘは，複数のチューナ１ａ，１ｂと，複数の映像処理回路４ａ，４ｂと，画面合成切替回路５と，制御回路８と，リモコン９ａと，リモコンインターフェース（Ｉ／Ｆ）回路９と，音声切替回路１０と，音声処理回路１１と，アンプ１２と，スピーカ１３と，液晶表示装置Ｙ（映像表示装置の一例）とを具備して概略構成されている。また，これら以外にも，一般的なテレビジョン受像機が有する構成要素も備えている。
【０００７】
前記チューナ１ａ，１ｂは，放送受信アンテナ２０から映像や音声を含むテレビジョン放送や音声放送などの放送情報を受信するものである。ここに，前記放送情報には，複数の放送局から放送された複数チャンネルの放送情報が含まれている。
前記チューナ１ａ，１ｂは，前記制御回路８から指示された放送チャンネルの放送情報を抽出（選局）するとともに，該放送情報に含まれる映像信号を前記映像処理回路４ａ，４ｂへ伝送し，該放送情報に含まれる音声信号を前記音声切替回路１０へ伝送するものである。
【０００８】
前記映像処理回路４ａは，前記チューナ１ａから伝送された映像信号に対して各種信号処理を行うものであって，前記映像処理回路４ｂは，前記チューナ１ｂから伝送された映像信号に対して各種信号処理を行うものである。例えば，前記映像処理回路４ａ，４ｂは，映像信号のＡ／Ｄ変換や，Ａ／Ｄ変換後の映像信号から水平及び垂直同期信号の分離，その同期信号に位相同期したクロック信号の生成，Ａ／Ｄ変換後の映像信号からの輝度信号及び色信号の分離，所定の画質改善処理等を行う。
前記映像処理回路４ａ，４ｂで各種信号処理が施された映像信号は，該映像処理回路４ａ，４ｂから前記画面合成切替回路５に伝送される。
【０００９】
前記画面合成切替回路５は，前記制御回路８からの指示に従って，一画面に一つの映像を表示するシングル表示状態に対応したシングル映像信号と，一画面を分割して二つの映像を表示するデュアル表示状態に対応したデュアル映像信号とのいずれかを生成し，その映像信号を前記液晶表示装置Ｙへ伝送するものである。なお，前記液晶表示装置Ｙについては後段で詳述する。
さらに，前記画面合成切替回路５は，前記制御回路８から伝送される挿入情報を，出力する映像信号にスーパーインポーズする機能や，前記映像処理回路４ａ，４ｂからの出力映像に代えて，前記制御回路８から伝送されてくる情報を映像信号に変換して出力する機能も備えている。
【００１０】
前記音声切替回路１０は，前記チューナ１ａ，１ｂ各々から伝送される音声信号のうちの任意の１つの音声信号（ステレオの場合は１組の音声信号）を，前記制御回路８からの指示に従って前記音声処理回路１１に伝送するものである。
前記音声処理回路１１は，前記制御回路８からの指示に従って，前記音声切替回路１０から伝送される音声信号に対してイコライズ処理やサラウンド処理等の各種信号処理を行うものである。
前記アンプ１２は，前記音声処理回路１１による各種信号処理後の音声信号を，前記制御回路８からの指示に従って増幅或いは減衰させる処理を行うものである。前記アンプ１２で増幅或いは減衰された後の音声信号は，前記音声信号に基づいて音声を出力する前記スピーカ１３に入力される。
【００１１】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），ＭＰＵ８ａが実行する処理によって書き込まれる設定情報を記憶するＥＥＰＲＯＭ８ｃ等を備え，当該テレビジョン受像機Ｘ全体を制御するものである。
前記リモコンインターフェース回路９は，当該テレビジョン受像機Ｘの操作用の前記リモコン（リモート操作器）９ａから，赤外線伝送等の無線伝送によって該リモコン９ａに対する操作入力情報を取得し，その操作入力情報を前記制御回路８に伝送するものである。なお，前記リモコン９ａには，前記チューナ１ａ，１ｂのチャンネルを選択するためのチャンネル選択キーや音量を調節するための音量ボリューム調節キー，後述するバックライト制御処理（図４のフローチャート参照）において映像の表示サイズや位置を変更するための映像表示操作キーなど（不図示）が設けられている。
【００１２】
次に，図２及び図３を用いて，前記液晶表示装置Ｙについて詳説する。
図２に示すように，前記液晶表示装置Ｙは，前記画面合成切替回路５から入力された映像信号に基づく映像の表示サイズや位置を変更する映像変更処理部２１と，当該液晶表示装置Ｙを制御する表示制御部２２と，入力された映像信号に基づいて映像を表示する液晶表示パネル２４（映像表示手段の一例）と，該液晶表示パネル２４の駆動を制御する液晶駆動部２３と，前記液晶表示パネル２４を背後から照明するバックライト装置２６と，該バックライト装置２６の駆動を制御するバックライト駆動部２５とを備えて概略構成されている。
前記映像変更処理部２１は，前記制御回路８からの指示に基づいて前記画面合成切替回路５から入力された映像信号に基づく映像の表示サイズや位置を変更するための処理を実行する。前記制御回路８からの指示は，前記リモコン９ａに設けられた前記映像表示操作キー（不図示）の操作に応じて行われる。ここに，かかる変更処理を実行するときの前記映像変更処理部２１が映像変更手段に相当する。
前記表示制御部２２は，ＣＰＵやＲＯＭ，ＲＡＭなどの制御機器を備え，前記ＲＯＭに記憶された所定の制御プログラムに従って処理を実行することにより当該液晶表示装置Ｙを制御するものである。
【００１３】
また，図３に示すように，前記バックライト装置２６は，上下方向に並設された二本一組の蛍光管２６１〜２６８（発光手段の一例）を有している。なお，本実施の形態では，二本一組の蛍光管が複数設けられた構成について述べるが，もちろん一本一組の蛍光管（発光手段の一例）が複数設けられた構成であってもかまわない。
前記バックライト駆動部２５は，前記表示制御部２２からの指示に基づいて前記蛍光管２６１〜２６８各々の発光の有無を個々に制御する。
【００１４】
以下，図４のフローチャートに従って，図５を参照しつつ，前記液晶表示装置Ｙにおいて実行されるバックライト制御処理の手順の一例について説明する。なお，以下に示すＳ１，Ｓ２，…は，処理手順（ステップ）の識別記号を表す。また，当該バックライト制御処理は，前記リモコン９ａを通じて所定の電源ＯＮ操作がなされた場合に開始されるものとする。
まず，ステップＳ１では，前記画面合成切替回路５から前記液晶表示装置Ｙの前記映像変更処理部２１に映像信号が入力されることにより，該映像変更処理部２１によって，前記制御回路８からの指示に従って前記映像信号に基づく映像（以下「表示映像」という）のサイズや位置を変更する処理が実行される。前記映像変更処理部２１から出力された映像信号は，前記表示制御部２２に入力される。
ここでは，図５（ａ）に示すように，前記液晶表示パネル２４に映像表示領域Ｒ１のサイズ，位置で前記表示映像を表示するように前記制御回路８から指示が行われているものと仮定する。したがって，図５（ａ）に斜線で示す領域は映像が表示されない非映像領域である。なお，前記表示映像のサイズや位置は，前述したように，前記リモコン９ａに設けられた前記映像表示操作キー（不図示）の操作に応じて前記制御回路８から入力される指示に従って前記映像変更処理部２１によって変更される。
【００１５】
次に，ステップＳ２では，前記表示制御部２２によって，前記表示映像における映像表示領域が検出される。ここでは，前記表示映像における映像表示領域として，前記映像表示領域Ｒ１が検出される。また，映像が表示されない非映像表示領域（図５（ａ）に示す斜線領域）を検出することも他の実施例として考えられる。ここに，かかる検出処理を実行するときの前記表示制御部２２が表示領域検出手段に相当する。
その後，続くステップＳ３では，前記表示制御部２２によって，前記蛍光管２６１〜２６８のうち，前記映像表示領域Ｒ１に対応する位置に配置された蛍光管が選定される。ここでは，図５（ａ）に示すように，前記映像表示領域Ｒ１に対応する位置に，前記蛍光管２６３〜２６６が配置されているため，該蛍光管２６３〜２６６が選定される。
【００１６】
そして，ステップＳ４では，前記表示制御部２２によって前記バックライト駆動部２５が制御されることにより，前記ステップＳ３において選定された前記蛍光管２６３〜２６６，及び該蛍光管２６３〜２６６の外側に隣接する前記蛍光管２６２，２６７だけが発光される。即ち，前記蛍光管２６１〜２６８のうち前記蛍光管２６２〜２６７を除く前記蛍光管２６１及び前記蛍光管２６８は消灯されている。したがって，前記液晶表示装置Ｙでは，前記蛍光管２６１，２６８が消灯されるため，該蛍光管２６１，２６８を点灯させるための無駄な消費電力を省減することができる。
ここに，前記映像表示領域Ｒ１に対応する位置に配置された前記蛍光管２６３〜２６６と，該蛍光管２６３〜２６６の外側に隣接する前記蛍光管２６２，２６７とを発光させ，前記蛍光管２６１，２６８を消灯させるときの前記表示制御部２２が発光制御手段に相当する。なお，ここでは，前記蛍光管２６１及び前記蛍光管２６８を消灯しているが，該蛍光管２６１及び該蛍光管２６８の照度を低下させることなども他の実施例として考えられる。
ところで，従来装置（例えば，特許文献１参照）では，このような場合に，前記映像表示領域Ｒ１に対応する位置に配置された前記蛍光管２６３〜２６６だけが発光されていたため，前記映像表示領域Ｒ１の中央部付近と縁部との間に明度ムラや色ムラが生じていた。
しかしながら，本発明の実施の形態に係る前記液晶表示装置Ｙでは，前記映像表示領域Ｒ１に対応する位置に配置された前記蛍光管２６３〜２６６だけではなく，該蛍光管２６３〜２６６の外側に隣接する前記蛍光管２６２，２６７が発光されるため，前記映像表示領域Ｒ１の中央部付近と縁部との間に明度ムラや色ムラが生じない。
【００１７】
その後，ステップＳ５では，前記表示映像のサイズや位置，即ち前記映像表示領域Ｒ１が変更されたか否かが前記表示制御部２２によって判断される。具体的には，前記映像変更処理部２１から出力される映像信号に基づいて判断される。前記ステップＳ５の処理は，前記表示映像のサイズや位置が変更されたと判断されるまで繰り返し実行される（Ｓ５のＮｏ側）。
一方，前記リモコン９ａに設けられた前記映像表示操作キー（不図示）の操作に応じて前記制御回路８から表示映像のサイズや位置を変更するための指示が，前記映像変更処理部２１に入力された場合には，前記表示映像のサイズや位置が変更されたと判断されるため（Ｓ５のＹｅｓ側），処理は前記ステップＳ２に移行する。前記ステップＳ２では，サイズや位置が変更された後の表示映像における映像表示領域が検出され，前記ステップＳ３以後の処理が再度実行される。
例えば，図５（ｂ）に示すように，前記表示映像のサイズ及び位置が変更されて，前記映像表示領域Ｒ２のサイズ，位置で前記表示映像が表示される場合には，前記同様の処理によって，前記蛍光管２６１〜２６６が発光され，前記蛍光管２６７，２６８が消灯される。なお，図５（ａ）に斜線で示す領域は映像が表示されない非映像領域である。
また，本実施の形態では，複数の前記蛍光管２６１〜２６８が上下方向に並設された構成について述べたが，前記蛍光管２６１〜２６８が左右方向に並設された構成にも同様に適用可能である。
【実施例１】
【００１８】
前記実施の形態では，前記表示画面の映像表示領域を検出して，その検出された映像表示領域に基づいて前記蛍光管２６１〜２６８の発光の有無を制御する例について説明した。
ここでは，前記ステップＳ５において表示画像のサイズや位置が変更されたと判断された場合に実行される処理の一例について説明する。
ここに，図６は，前記バックライト制御処理の手順の他の例を説明するためのフローチャートである。なお，前記実施の形態における前記バックライト制御処理と同様の処理については同じ符号を付してその説明を省略する。
図６に示すように，前記ステップＳ５において，前記表示映像のサイズや位置が変更されたと判断されると（Ｓ５のＹｅｓ側），処理はステップＳ６に移行する。
ステップＳ６では，前記表示映像の上端の移動量が前記表示制御部２２によって検出される。具体的に，前記表示映像の上端の移動量の検出は，前記リモコン９ａの前記映像表示操作キー（不図示）の操作量に応じて前記制御回路８から前記映像変更処理部２１に入力された指示信号に基づいて行われる。ここに，前記表示映像の上端の移動量は，上方向が＋，下方向が−とする。なお，前記表示映像の上端の移動は，該表示映像のサイズや位置が変更されることにより行なわれる。
【００１９】
続くステップＳ７，Ｓ８では，前記ステップＳ６で検出された前記表示映像の上端の移動量が＋Ｔ１以上であるか（Ｓ７），−Ｔ１以上であるか（Ｓ８）が前記表示制御部２２によって判断される。ここに，前記Ｔ１は，例えば前記蛍光管２６１〜２６８各々の配置間隔などであり予め設定されたものである。
ここで，前記表示映像の上端の移動量が＋Ｔ１以上であると判断された場合には（Ｓ７のＹｅｓ側），処理はステップＳ７１に移行し，前記蛍光管２６１〜２６８のうち，発光中の前記蛍光管の最も上方の蛍光管の外側（上方）に隣接する蛍光管が発光される。
一方，前記表示映像の上端の移動量が−Ｔ１以上であると判断された場合には（Ｓ８のＹｅｓ側），処理はステップＳ８１に移行し，前記蛍光管２６１〜２６８のうち，発光中の前記蛍光管の最も上方の蛍光管が消灯される。
なお，前記表示映像の上端の移動量が，＋Ｔ１未満かつ−Ｔ１未満である場合には（Ｓ７，Ｓ８においてＮｏ側），前記蛍光管２６１〜２６８各々の発光状態は現状維持のまま，処理はステップＳ９に移行する。
【００２０】
そして，ステップＳ９以降では，前記表示映像の下端について同様の処理が実行される。
具体的には，まず前記ステップＳ９では，前記表示映像の下端の移動量が前記表示制御部２２によって検出される。具体的に，前記表示映像の下端の移動量の検出は，前記リモコン９ａの前記映像表示操作キー（不図示）の操作量に応じて前記制御回路８から前記映像変更処理部２１に入力された指示信号に基づいて行われる。ここに，前記表示映像の下端の移動量は，上方向が＋，下方向が−とする。
【００２１】
続くステップＳ１０，Ｓ１１では，前記ステップＳ９で検出された前記表示映像の下端の移動量が＋Ｔ１以上であるか（Ｓ１０），−Ｔ１以上であるか（Ｓ１１）が前記表示制御部２２によって判断される。
ここで，前記表示映像の下端の移動量が＋Ｔ１以上であると判断された場合には（Ｓ１０のＹｅｓ側），処理はステップＳ１０１に移行し，前記蛍光管２６１〜２６８のうち，発光中の前記蛍光管の最も下方の蛍光管が消灯される。
一方，前記表示映像の下端の移動量が−Ｔ１以上であると判断された場合には（Ｓ１１のＹｅｓ側），処理はステップＳ１１１に移行し，前記蛍光管２６１〜２６８のうち，発光中の前記蛍光管の最も下方の蛍光管の外側（下方）に隣接する蛍光管が発光される。
なお，前記表示映像の下端の移動量が，＋Ｔ１未満かつ−Ｔ１未満である場合には（Ｓ１０，Ｓ１１においてＮｏ側），前記蛍光管２６１〜２６８各々の発光状態は現状維持のまま，処理はステップＳ５に移行する。
このように，前記表示映像の上端及び下端の移動量に基づいて前記蛍光管２６１〜２６８各々の発光の有無を制御することにより，該表示映像の上端縁部や下端縁部と中央部付近との間の明度ムラや色ムラを防止することができる。
【実施例２】
【００２２】
ここに，図７は，前記バックライト装置２６の他の例であるバックライト装置３６を説明するための図である。
前記実施の形態では前記バックライト装置２６が，複数の蛍光管２６１〜２６８を有する構成について説明したが，該複数の蛍光管２６１〜２６８に換えて複数の発光ダイオード（ＬＥＤ）を有する構成についても適用することが可能である。また，蛍光管とＬＥＤとを組み合わせて構成されるバックライト装置にも同様に本発明を適用することが可能である。
本実施例２では，前記バックライト装置２６に換えて，図７に示すように，複数のＬＥＤを一組とするＬＥＤ群３６１〜３９０を有するバックライト装置３６が設けられた構成について考える。なお，前記ＬＥＤ群３６１〜３９０各々の発光の有無は，前記バックライト駆動部２５によって個々に制御可能であるとする。
このような構成では，図７に示す映像表示領域Ｒ３に映像が表示される場合，該映像表示領域Ｒ３に対応する位置に配置された前記ＬＥＤ群３６６〜３６８，３７１〜３７３，３７６〜３７８と，該ＬＥＤ群３６６〜３６８，３７１〜３７３，３７６〜３７８の外側に隣接する前記ＬＥＤ群３６１〜３６４，３６９，３７４，３７９，３８１〜３８４とが点灯される。そして，これらのＬＥＤ群を除く，前記ＬＥＤ群３６５，３７０，３７５，３８０，３８５，３８６〜３９０が消灯されるように制御される。
このように，複数の前記ＬＥＤ群３６１〜３９０を備える構成では，前記映像表示領域Ｒ３の上下左右において不要なＬＥＤ群を消灯することができる。
【図面の簡単な説明】
【００２３】
【図１】本発明の実施の形態に係るテレビジョン受像機の概略構成を示すブロック図。
【図２】本発明の実施の形態に係る液晶表示装置の概略構成を示すブロック図。
【図３】本発明の実施の形態に係る液晶表示装置を背後から見た要部模式図。
【図４】本発明の実施の形態に係る液晶表示装置において実行されるバックライト制御処理の手順の一例を説明するためのフローチャート。
【図５】バックライト制御処理が実行されているときのバックライト装置の発光状態の具体例を説明するための図。
【図６】バックライト制御処理の手順の他の例を説明するためのフローチャート。
【図７】バックライト装置の他の例を説明するための図。
【符号の説明】
【００２４】
１ａ，１ｂ…チューナ
４ａ，４ｂ…映像処理回路
５…画面合成切替回路
８…制御回路
９…リモコンインターフェース回路
９ａ…リモコン
１０…音声切替回路
１１…音声処理回路
１２…アンプ
１３…スピーカ
２０…放送受信アンテナ
２１…映像変更処理部
２２…表示制御部
２３…液晶駆動部
２４…液晶表示パネル
２５…バックライト駆動部
２６…バックライト装置
Ｘ…テレビジョン受像機
Ｙ…液晶表示装置（映像表示装置の一例）
Ｓ１，Ｓ２，，，…処理手順（ステップ）番号
【図１】
2007334176.tif 000003
【図２】
2007334176.tif 000004
【図３】
2007334176.tif 000005
【図４】
2007334176.tif 000006
【図５】
2007334176.tif 000007
【図６】
2007334176.tif 000008
【図７】
2007334176.tif 000009